(57)【要約】【課題】高齢者や障害者が自力で衣類を着る時、上服の長袖や下半身の股下が長い衣服は手足が通し辛く、介助側にも負担であり、長い袖や裾を手繰り寄せる作業が必要である。また、ストッキングやタイツ、長手袋等は、健常者にも着用し辛く、長い袖や裾等を手繰り寄せる作業が必要である。【解決手段】    衣類着用時に長袖や長い股下等を短く手繰り寄せる作業を行うと、着やすくまたは履きやすくなる個所に、手繰り寄せる方向と平行に紐を出し入れする紐通し部１を備え、手繰り寄せることによる生地のしわをカバーして、手足を通し易くする為の補助当てを裏地に備え、該紐と該補助当ては繋がっており、該紐を衣類から引き出すことにより手繰り寄せることができる。【選択図】図３
2012012744.tif 000002
【特許請求の範囲】
【請求項１】
両袖共に、肩口から袖口に紐通し部１Ａを形成し、肩口側の紐通し部１Ａの端と紐２Ａの端を一緒に縫い留め、その肩口の裏地に手を通り易くするための補助当て３Ａを取り付け、該紐２Ａの残ったもう片端は該補助当て３Ａと繋がっていることを特徴とする前開き衣類の袖の手繰り寄せ機構。
【請求項２】
左右の脇下裾から袖口共に、脇下裾から袖口に紐通し部１Ｂを形成し、脇下裾側の紐２Ｂの端と該紐通し部１Ｂの端を一緒に縫い留め、脇の裏地に手を通り易くするための補助当て３Ｂを取り付け、該紐２Ｂの残ったもう片端は該補助当て３Ｂと繋がっていることを特徴とする丸首衣類の袖の手繰り寄せ機構。
【請求項３】
両股下共に、ウエストから裾に紐通し部１Ｃを形成し、ウエスト側の紐２Ｃの端は該紐通し部１Ｃの端と一緒に縫い留め、足の付け根部の裏地に足を通り易くするための補助当て３Ｃを取り付け、該紐２Ｃの残ったもう片端は補助当て３Ｃと繋がっていることを特徴とするズボン衣類の裾の手繰り寄せ機構。
【発明の詳細な説明】
【技術分野】
【０００１】
本発明は自力での着衣や衣類の着衣介助の動作の軽減に関するものである。  
【背景技術】
【０００２】
高齢者や障害者が自力で衣類を着る時、上服の長袖や下半身の股下が長い衣類は手足が通し辛く、介助側にも負担であり、長い袖や裾を手繰り寄せる作業が必要である。
【先行技術文献】
【特許文献】
【０００３】
【特許文献１】特開２００１−２６２４１０号公報また、特許文献１には長袖や股下にファスナーを使用することで、手足を通さずとも着脱できる衣類が提案されている。
【発明の概要】
【発明が解決しようとする課題】
【０００４】
しかしながら、特許文献１は、重度の障害者や寝たきりの高齢者の着脱介助時に、介護する側が着脱させ易い服であり、自立した障害者や高齢者には不向きである。体が硬く手先が不自由な高齢者や障害者が長い袖や裾のある衣類に手足を通す作業は、時間や手間がかかる。
本発明は、長い袖や裾を手繰り寄せる手間を省き、自立した障害者や高齢者の着衣動作の軽減する衣類を提供する。
【課題を解決するための手段】
【０００５】
本発明は、着用時に長袖や長い股下等を短く手繰り寄せる作業を行うと、着やすくまたは履きやすくなる個所に、手繰り寄せる方向と平行に紐を出し入れする筒形状を備え、裏地に手繰り寄せることによる生地のしわをカバーして、手足を通し易くする補助当てを備え、該紐と該補助当ては繋がっており、該紐を衣類から引き出すことにより手繰り寄せることができる方法を提供することにある。
【発明の効果】
【０００６】
高齢者は一般に体が硬く手が足先に届きかね、手先が不自由な方も多い、その為か、ス゛ホ゛ンやス゛ホ゛ン下を手繰り寄せる事も無く、足先に引っかけ、そのまま無理やりはいているが、本発明を使用したズボンやズボン下であれば手繰り寄せる作業が必要な時その作業をせず、紐を引き出すことで、衣類は着用しやすい形状を維持し、短時間で手足を通しやすくする効果がある。
【０００７】
片麻痺の障害者の場合、片手で衣類を手繰り寄せる作業はやりずらい。本発明使用の衣類であれば、着用しやすい形状を維持しているので、片手で手足を短時間で通しやすくする効果がある
【０００８】
衣類着用に一部介助が必要な非介護者にも、衣類が着用しやすい形状を維持することは自力で着用できる可能性を作り、依頼心が強すぎる非介護者にも、通常の衣類よりも着やすい形状をしているので、自分で手足を通そうという意欲を引き出す効果がある。
【０００９】
非介護者にとって自分でできる事が増える事は、人の手を煩わさず自分でできたという喜びや満足感を与え、自尊心や自立心の向上及び日常生活動作を向上させる効果がある。
【００１０】
衣類が着用しやすい形状を維持することは、衣類着用中または衣類着用介助中、折角手繰り寄せた衣類から手を離してしまっても、もう一度手繰り直す手間を失くす効果がある。
【００１１】
例えば、冬場に病弱な非介護者の全身更衣を介護者が全介助で行った場合、上下の衣類、シャツ、ス゛ホ゛ン下を着用させる事になり、計8回の手繰り寄せる作業が必要となる。その手間と時間を省くことは、非介護者と介護者両者の負担を減らす効果がある。
【００１２】
上記の介護は、介護者は最初の片手片足を通す為の手繰り寄せる作業は手元で行えるが、もう片手片足を通す作業は非介護者が衣類を半分着た状態の為、衣類が介護者の手元から遠く作業し辛い、この作業を楽にする効果がある。
【００１３】
また、ストッキングやタイツやスパッツ、長い靴下や長手袋は健常者にも着用し辛く、手繰り寄せる作業が必要であるがその作業を失くす効果がある。
【００１４】
枕や布団のカバー等に応用すれば、カバーを入れる作業の軽減にも効果がある。
【図面の簡単な説明】
【００１５】
【図１】前開きの上着の使用例
【図２】図1の上着の袖裏図
【図３】図1の上着の紐を引き出した図
【図４】補助当て図1の上着の紐を引き出した図
【図５】丸首上着の使用例。
【図６】図５の丸首上着の裏図
【図７】図５の丸首上着の紐を引き出した図
【図８】ス゛ホ゛ンの使用例。
【図９】図８のス゛ホ゛ンの裏図
【図１０】図８のス゛ホ゛ンの紐を引き出した図
【図１１】ス゛ホ゛ンの使用例２
【図１２】ス゛ホ゛ンの使用例２の紐を引き出した図
【図１３】布団のカバーの使用例。
【図１４】図１３の布団カバーの紐を引き出した図
【図１５】枕カバーの使用例。
【図１６】図１５の枕カバーの紐を引き出した図
【図１７】ストッキングの使用例（後ろ側）
【図１８】図１７のストッキングの裏図（後ろ側）
【図１９】図１７のストッキングの糸を引き出した図（後ろ側）
【図２０】タイツの使用例（後ろ側）
【図２１】図２０のタイツの裏図（後ろ側）
【図２２】図２０のタイツの糸を引き出した図（後ろ側）
【図２３】長い靴下の使用例
【図２４】図２３の長い靴下の裏図
【図２５】図２３の長い靴下の紐を引き出した図
【図２６】長い手袋の使用例（掌側）
【図２７】図２６の長い手袋の裏図（掌側）
【図２８】図２６の長い手袋の紐を引き出した図（掌側）
【発明を実施するための形態】
【００１６】
長袖の衣服や長ズボン着用前に、袖口やス゛ホ゛ン裾にある紐通し部１出口より出ている紐２を、衣服を押さえて引き出す。長袖の上服であれば長袖が短く繰り寄せられ、長ス゛ホ゛ンであれば長い股下が短く手繰り寄せられる。この事は、手足が通し辛い個所の長さを短くし、衣服は着やすい形状が維持され、手足を通し易くする。
【００１７】
上記したように、衣服から紐２を引きだすと、長袖や股下の布に皺が寄るが、裏地で紐２と繋がった補助当てが皺をカバーすることにより、皺に手足が引っかかることを防ぐ。
【００１８】
長袖や股下に手足が通れば、衣服の皺を引き伸ばし、出ていた紐２を紐通し部１に戻す。
衣服着用に介助が必要であれば、介助者の手に長袖や股下を手に通し、非介護者の手足に移し通すようにしたものである。
【実施例１】
【００１９】
前開きの上着に、肩口から袖口に紐通し部１Ａを形成し、肩口側の該紐通し部１Ａの端と紐２Ａの端を一緒に縫い留める。その肩口の裏地へ手を通り易くするための補助当て３Ａを取り付け、該紐２Ａの残ったもう片端は該補助当て３Ａと繋がっている。両袖とも同様である。
【実施例２】
【００２０】
丸首上着に使用した場合、脇下裾から袖口に紐通し部１Ｂを形成し、脇下裾側の紐２Ｂの端と該紐通し部１Ｂの端を一緒に縫い留め、脇の裏地へ手を通り易くするための補助当て３Ｂを取り付け、該紐２Ｂの残ったもう片端は該補助当て３Ｂと繋がっている。両袖とも同様である。
【実施例３】
【００２１】
ス゛ホ゛ンに使用した場合、ウエストから裾に紐通し部１Ｃを形成し、ウエスト側の紐２Ｃの端と該紐通し部１Ｃの端を一緒に縫い留め、足の付け根部の裏地へ足を通り易くするための補助当て３Ｃを取り付け、該紐２の残ったもう片端は該補助当て３Ｃと繋がっている。両股下とも同様である。
本実施例では補助当ての位置はズボンの足付け根部付近に取り付けた例を示したが該補助当て３の取り付け位置は足の裾部分でも良いものである。
【実施例４】
【００２２】
上記３記の実施例の紐通し部１は形成せず、紐２で手繰り寄せる個所を波縫いしても良いし、或いは紐通し部１を手繰り寄せる個所全域に形成せず、数か所に分けて形成し、紐２が見えていても良い。
補助当て３は、どのような型でもよいが例えば鋭角のある２等辺三角形が適している。
また、補助当て３は紐２を引き出す事による生地の皺があっても手足が通り易ければ必要がなく、引き出す側でない紐通し部１の端と紐２の端を一緒に縫い留め、引き出す側の該紐２の端を、該紐通し部１の筒に入り込まない様に、紐に節や留めを作れば良い。
【実施例５】
【００２３】
布団カバーに使用した場合、通常のシーツの掛け幅の頭側と足側の両端に紐通し部１Ｅを形成し、布団の出し入れ口のない側の該紐通し部１Ｅの端２か所それぞれ該紐２Ｅと一緒に縫い留める。布団を入れる口がある方の該紐通し部１Ｅから出ている該紐２Ｅを２本カバーから引き出す。カバーの掛け幅が手繰り寄せられ柔らかい綿の生地が固く扱いやすくなり、カバーの裏隅に布団角を合わせ入れ、カバーの皺を伸ばし、布団をカバーに入れたものである。
【実施例６】
【００２４】
枕カバーに使用した場合、枕の出し入れ口両端に、紐通し部１Ｆを形成し、枕カバーの奥隅側の該紐通し部１Ｆの端２か所と該紐２Ｆそれぞれ一緒に縫い留める。枕を入れる口がある側の紐通し部１Ｆから出ている該紐２Ｆを２本カバーから引き出す。枕の出し入れ口とカバー奥隅の長さ幅が短くなるので、カバー裏奥隅が持ちやすくなり、カバーを裏表反対にしやすくなる。裏表反対にしたカバーの奥隅から枕の隅を持ち、カバーの裏表をなおしながら皺を伸ばし、枕をカバーに入れたものである。
【実施例７】
【００２５】
ストッキングに使用した場合は、繊細な生地とデザイン性を損なわない為と、ストッキングの生地の密着しやすい性質を利用して、股下部分を糸通し部の代替えとし、ストッキングの裏爪先付近に補助当て３Ｇを形成し、補助当て３Ｇと繋がっている糸２Ｇはストッキングのウエスト部分と繋がり、着脱式となっている。両股下同様である。
【実施例８】
【００２６】
タイツに使用した場合、タイツの生地も密着しやすいがストッキングの生地ほど繊細ではなく、デザイン性に問題がなければ背面ウエスト裏から裏爪先付近まで糸通し部１Ｈを形成し、タイツの裏爪先付近に補助当て３Ｈを形成し、該補助当て３Ｈと該糸２Ｈは繋がっている。両股下同様である。
【実施例９】
【００２７】
長い靴下に使用した場合、足の裏指付け根から長い靴下の入れ口ふくらはぎ側端に紐通し部１Ｉを形成し、裏爪先付近に補助当て３Ｉを取り付け、該補助当て３Ｉと該紐２Ｉは繋がっている。両股下同様である。
【実施例１０】
【００２８】
長手袋に使用した場合、掌指付け根から長手袋の入れ口掌側端に紐通し部１Ｊを形成し、掌指付け根に補助当て３Ｊを取り付け、該補助当て３Ｊと該紐２Ｊは繋がっている。左右の手袋同様である。
【産業上の利用可能性】
【００２９】
高齢化がどんどん進み高齢者や障害者の人口は増え続けています。高齢者や障害者に優しい衣服作り等、自力での日常生活に役立つ商品開発は必要不可欠になっていくのではないかと思われます。 介護の仕事は精神的にも肉体的にも負担の重い仕事です。きつい、汚い、危険、３Ｋと、言われています。少しでも、その負担を軽くできる商品があれば、必要イコール需要、産業上の利用の可能性があると、いえます。
また、布団カバーや枕カバーに使用した場合、施設やホテル等では大量のシーツの交換作業が必要です。作業の軽減や能率のアップに効果がある商品は、施設やホテルへレンタルしている業者の他同業者との差別化を図れるものです。
【符号の説明】
【００３０】
１  紐又は糸が通る紐通し部
２  紐通し部１より出し入れする紐又は糸
３  紐通し部１より紐または糸を引き出す事による生地の皺をカバーするための補助当て
１Ａ  前開きの上着の紐２Ａが通る紐通し部
２Ａ  前開きの上着の紐通し部１Ａより出し入れする紐
３Ａ  前開きの上着の紐通し部１Ａより紐を引き出す事による生地の皺をカバーするための補助当て
１Ｂ  丸首上着の紐２Ｂが通る紐通し部
２Ｂ  丸首上着の紐通し部１Ｂより出し入れする紐
３Ｂ  丸首上着の紐通し部１Ｂより紐２Ｂを引き出す事による生地の皺をカバーするための補助当て
１Ｃ  長ズボンの紐２Ｃが通る紐通し部
２Ｃ  長ズボンの紐通し部１Ｃより出し入れする紐
３Ｃ  長ズボンの紐通し部１Ｃより紐２Ｃを引き出す事による生地の皺をカバーするための補助当て
１Ｄ  補助当ての形成が必要のないヅボンの紐２Ｄが通る紐通し部
２Ｄ  補助当ての形成が必要のないヅボンの紐通し部１Ｄより出し入れする紐
１Ｅ  布団カバーの紐２Ｅが通る紐通し部
２Ｅ  布団カバーの紐通し部１Ｅより出し入れする紐
１Ｆ  枕カバーの紐２Ｆが通る紐通し部
２Ｆ  枕カバーの紐通し部１Ｆより出し入れする紐
２Ｇ  ストッキングの糸通し部代替えの股下より出し入れする糸
３Ｇ  ストッキングの股下より糸２Ｇを引き出す事による生地の皺をカバーするための補助当て
１Ｈ  タイツの糸２Ｈが通る糸通し部
２Ｈ  タイツの糸通し部１Ｈより出し入れする糸
３Ｈ  タイツの糸通し部１Ｈより糸を引き出す事による生地の皺をカバーするための補助当て
１Ｉ  靴下の紐２Ｉが通る紐通し部
２Ｉ  靴下の紐通し部１Ｉより出し入れする紐
３Ｉ  靴下の紐通し部１Ｉより紐２Ｉを引き出す事による生地の皺をカバーするための補助当て
１Ｊ  長手袋の紐２Ｊが通る紐通し部
２Ｊ  長手袋の紐通し部１Ｊより出し入れする紐
３Ｊ  長手袋の紐通し部１Ｊより紐２Ｊを引き出す事による生地の皺をカバーするための補助当て
４    布団カバーの布団の出し入れ口
５    枕カバーの出し入れ口
６    ストッキングの補助当てと繋がっている糸を留める為のマジックテープ（登録商標）等
a     紐通し部１の端と紐又は糸の端を一緒に縫い留める位置
ｂ    紐２を引き出す紐通し部１出口位置
ｃ    補助当て３を衣服に縫い留める位置
ｃＧ  補助当て３Ｇを衣服に縫い留める位置
ａＨ  糸通し部１Ｈの端と糸２Ｈの端を一緒に縫い留める位置
ｂＨ  糸２Ｈを引き出す糸通し部１Ｈ出口位置
ｃＨ    補助当て３Ｈを衣服に縫い留める位置
ｄ    紐２Ｄが紐通し部１Ｄに入り込まないようにする節
【図１】
2012012744.tif 000003
【図２】
2012012744.tif 000004
【図３】
2012012744.tif 000005
【図４】
2012012744.tif 000006
【図５】
2012012744.tif 000007
【図６】
2012012744.tif 000008
【図７】
2012012744.tif 000009
【図８】
2012012744.tif 000010
【図９】
2012012744.tif 000011
【図１０】
2012012744.tif 000012
【図１１】
2012012744.tif 000013
【図１２】
2012012744.tif 000014
【図１３】
2012012744.tif 000015
【図１４】
2012012744.tif 000016
【図１５】
2012012744.tif 000017
【図１６】
2012012744.tif 000018
【図１７】
2012012744.tif 000019
【図１８】
2012012744.tif 000020
【図１９】
2012012744.tif 000021
【図２０】
2012012744.tif 000022
【図２１】
2012012744.tif 000023
【図２２】
2012012744.tif 000024
【図２３】
2012012744.tif 000025
【図２４】
2012012744.tif 000026
【図２５】
2012012744.tif 000027
【図２６】
2012012744.tif 000028
【図２７】
2012012744.tif 000029
【図２８】
2012012744.tif 000030